(57)【特許請求の範囲】
【請求項１】
棒状の把手部と、該把手部の少なくとも一端に設けられた導電性金属からなる二股のフォーク状の導体部と、該フォーク状の導体部の分岐起点の中間に焼嵌法により圧着固定してなるトルマリンの結晶体と、前記フォーク状の一方の先端部に一部埋設された第１異種金属部及び他方の先端部に一部埋設された第２異種金属部から構成される２種の金属からなる異種金属部とを備えた治療器具であって、前記導体部、第１異種金属部及び第２異種金属部を構成する金属がそれぞれイオン化傾向が異なる金属からなり、前記導体部及び各異種金属部を患者の皮膚に軽く押圧することによって治療を施すことを特徴とする治療器具。
【請求項２】
棒状の把手部と、該把手部の少なくとも一端に設けられた導電性金属からなる四本に分岐した導体部と、該分岐の起点中央部に先端が導体部の先端と略同程度の高さ乃至やや低い状態で圧着固定してなるトルマリンの結晶体と、前記分岐中の二本の分岐の先端部に一部埋設された第１異種金属部及び他の二本の分岐の先端部に一部埋設された第２異種金属部から構成される２種の金属からなる異種金属部とを備えた治療器具であって、前記導体部、第１異種金属部及び第２異種金属部を構成する金属がそれぞれイオン化傾向が異なる金属からなり、前記導体部及び各異種金属部を患者の皮膚に軽く押圧することによって治療を施すことを特徴とする治療器具。
【請求項３】
前記異種金属部は、アルミニウム、亜鉛、クロム、鉄、コバルト、ニッケル、錫、銅、銀、白金又は金の中から選択される少なくとも何れか一種からなり、前記異種金属部が第１異種金属部と第２異種金属部から構成される場合には、第１異種金属部は、アルミニウム、亜鉛、クロム、鉄、コバルト、ニッケル、錫、銅、銀又は白金の中から選択される少なくとも何れか一種からなり、第２異種金属部は、アルミニウム、亜鉛、クロム、鉄、コバルト、ニッケル、錫、銅、銀又は白金の中から選択される少なくとも何れか一種であって、第１異種金属部として選択された以外の金属からなり、前記導体部、異種金属部、第１異種金属部及び第２異種金属部を構成する金属がそれぞれイオン化傾向が異なる金属からなることを特徴とする請求項１または２記載の治療器具。
【発明の詳細な説明】
【０００１】
【発明の属する技術分野】
本発明は、人体の局部、患部、ツボ等を特殊な構造の器具を使って押圧することによって、人体が有する自然治癒力を増強させ、例えば、筋肉痛、神経痛、頭痛、腰痛、五十肩等の苦痛が即効的に軽減乃至消失し、喘息等のアレルギー疾患、手術後の機能回復等、種々の疾患を治療するための治療器具に関する。
【０００２】
【従来の技術】
従来の指圧療法は人間の手や指によって、局部やツボを揉み叩き等して神経を刺激し、血行をよくして痛みを軽減し、治療するものであった。また、鍼灸療法は、人体の局部やツボに鍼を打ち又は艾を焼きその熱気によって病を治療するものであった。
【０００３】
ところが、従来の指圧療法は、肩こり、筋肉痛等の痛みを和らげる等の効果があるものの、治療に長時間を要する。また、鍼療法にあっては、人体に直接針を打ち込むことから、患者の中には、注射針を連想して、鍼を必要以上に嫌ったり恐怖心を抱き、更に、エイズウイルス（ＨＩＶウイルス）の感染に対する不安感を有し、鍼療法に対する抵抗感を与える等の問題があった。本発明者は前記問題点を解消する為に先の実用新登録出願（実願平９−１０１４９）において、指圧器具に関する考案を開示した。
【０００４】
【発明が解決しようとする課題】
本発明は、前記のような問題点を解消し、且つ、前記実用新案登録出願に係る考案をより改善し、人体を傷める事が全く無く、治療器具を単に患部に当接して、軽く押圧するのみで、痛みを消失させ、人体が有する自然治癒力を増強させて疾患を治療することができ、しかも、エイズウイルス等、接触感染する虞が無く安全で、患者に安心感を与えるうえ、電気式治療器のように外部からの電気を使用せずに、画期的な治療効果を発揮する治療器具を提供することを目的とする。
【０００５】
【課題を解決するための手段】
前記の課題を解決するために、本発明は、棒状の把手部と、該把手部の少なくとも一端に設けられた導電性金属からなる二股のフォーク状の導体部と、該フォーク状の導体部の分岐起点の中間に焼嵌法により圧着固定してなるトルマリンの結晶体と、前記フォーク状の一方の先端部に一部埋設された第１異種金属部及び他方の先端部に一部埋設された第２異種金属部から構成される２種の金属からなる異種金属部とを備えた治療器具であって、前記導体部、第１異種金属部及び第２異種金属部を構成する金属がそれぞれイオン化傾向が異なる金属からなり、前記導体部及び各異種金属部を患者の皮膚に軽く押圧することによって治療を施すことを特徴とする治療器具とする（請求項１）。
【０００６】
また、前記の課題を解決するために、本発明は、棒状の把手部と、該把手部の少なくとも一端に設けられた導電性金属からなる四本に分岐した導体部と、該分岐の起点中央部に先端が導体部の先端と略同程度の高さ乃至やや低い状態で圧着固定してなるトルマリンの結晶体と、前記分岐中の二本の分岐の先端部に一部埋設された第１異種金属部及び他の二本の分岐の先端部に一部埋設された第２異種金属部から構成される２種の金属からなる異種金属部とを備えた治療器具であって、前記導体部、第１異種金属部及び第２異種金属部を構成する金属がそれぞれイオン化傾向が異なる金属からなり、前記導体部及び各異種金属部を患者の皮膚に軽く押圧することによって治療を施すことを特徴とする治療器具とする（請求項２）。
【０００７】
また、前記の課題を解決するために、本発明は、前記異種金属部は、アルミニウム、亜鉛、クロム、鉄、コバルト、ニッケル、錫、銅、銀、白金又は金の中から選択される少なくとも何れか一種からなり、前記異種金属部が第１異種金属部と第２異種金属部から構成される場合には、第１異種金属部は、アルミニウム、亜鉛、クロム、鉄、コバルト、ニッケル、錫、銅、銀又は白金の中から選択される少なくとも何れか一種からなり、第２異種金属部は、アルミニウム、亜鉛、クロム、鉄、コバルト、ニッケル、錫、銅、銀又は白金の中から選択される少なくとも何れか一種であって、第１異種金属部として選択された以外の金属からなり、前記導体部、異種金属部、第１異種金属部及び第２異種金属部を構成する金属がそれぞれイオン化傾向が異なる金属からなることを特徴とする前記の治療器具とすることが好ましい（請求項３）。
【０００８】
【作用】
本発明に係る治療器具の導体部乃至異種金属部を人体の皮膚に当接し乃至患部を押圧すると、人体の皮膚近傍の水分によって、導体部乃至異種金属部を構成する金属がそれぞれイオン化して金属間に標準電極電位の差に応じた電位差を生じ、導電性に優れた導体部を通じて患者の患部に微弱な電流が流れる。把手部が導電性金属等からなる治療器具にあっては、使用者の生体電流が加わった微弱電流が流れ、これが患者の人体中を流れる生体電流若しくは神経に作用して血流を改善し、痛みを軽減し、人体が有する自然治癒力を増大せしめて治療効果を高める作用をなす。
【０００９】
また、水晶乃至トルマリンの結晶体を設けることにより、これらの結晶が、前記微弱電流と外部から受ける光の作用によって、電磁波特に遠赤外線を放出し、この電磁波が患部に照射されることによって、人体の細胞を活性化させ自然治癒力を増強する結果、前記の治療効果をより増強する作用をなす。
【００１０】
更に、前記結晶体を例えば焼嵌法等で把持体に圧着固定することによって、結晶体が加圧されその結果、ピエゾ電気性に基づき結晶表面に電荷を生じる。本体の導体部乃至異種金属部を患部に押圧すると同時にこの結晶体の先端部が患者の皮膚に接触し、結晶体に発生した電気が患者の体内に放電し微弱電流が流れ、前記の治療効果を相乗的に高める作用をなす。
【００１１】
前記生体電流に係わる作用の詳細なメカニズムを実証することは甚だ困難を伴うものである。而して、発明者は、本発明に係る治療器具を使用中の患者の脳波、脈拍、心拍数、血中酸素飽和度（ＳｐＯ２）及び体温の上昇を医用サーモグラフィ装置で測定した。これらのデータは、この発明に係る治療器具の治療効果を科学的に裏づける有力な証拠となるものと発明者は確信するものである。これらのデータの詳細については後述する。
【００１２】
【発明の実施の形態】
次に、この発明の代表的な実施の形態について、図面に基づいて説明する。
図１に示す実施の形態１（参考例）において、本体１は、把手部１０が合成樹脂からなり、その一端に矢じり状に鋭角をなす導体部１４を有するものの例であり、該導体部１４の先端部には異種金属部１１の一部が埋め込まれた状態で設けられ、その近傍に水晶又はトルマリンからなる結晶体１２が設けられている。
【００１３】
把手部１０を構成する合成樹脂は係る治療器具の使用時の押圧に耐える程度の強度を有するものであれば特に限定されず、例えば、高密度ポリエチレン、ポリプロピレン、ポリスチレン、ポリアセタール、塩化ビニル樹脂、ＡＳ樹脂、ＡＢＳ樹脂、アクリル系樹脂、ポリアミド、ポリエステル、ポリカーボネート、フッ素樹脂、アセテート樹脂等の熱可塑性樹脂及びフェノール樹脂、不飽和ポリエステル、メラミン樹脂、ユリア樹脂等の熱硬化樹脂、各種のゴム、更にこれらと他の添加剤乃至材料の複合材である。
【００１４】
また、意匠性を高めるために樹脂中には有機、無機系の顔料を添加して着色し、表面に模様を施すこともできる。更に、使用者の生体電流が患者に伝導され易くするために、導電性金属粉、カーボン繊維、カーボン粒子等を添加してもよい。患者を諸雑菌から保護するために銅又は銀系等の抗菌剤を添加してもよい。その他、樹脂の劣化を防止するために、種々の坑酸化剤、光安定剤、熱安定剤、更に、対火災安全性を考慮して難燃剤等を添加してもよい。
【００１５】
導体部１３を例えば、金、銀、銅、アルミニウム等としたのは、これらの金属は導電率が高く、皮膚に接したときに生ずる微弱電流を効率よく流すとともに、毒性、腐食又は金属アレルギーが比較的に少ないことを考慮したものである。また、チタンは導電率の点で他の金属に比較して劣るものの金属アレルギー性等に優れることから本発明に使用することができる。
【００１６】
異種金属部１１を構成する金属は、導体部１０を構成する金属とイオン化傾向が異なる金属が使用される。但し、有害な、例えば、鉛、カドミニウム等が除外されることは言う迄もない。イオン化傾向の差が大きいものほど両者間に発生する電位差が大きく、例えば、導体部１０がイオン化傾向の小さい金の合金からなり、異種金属部１１をイオン化傾向の大きいアルミニウムにすれば、両者間には大きな電位差を生じる。
【００１７】
しかし、アルミニウムは表面に酸化膜を生じて導電性が低下するので、導電性を高めるために、使用前に表面をみがき粉等で拭くことが望ましい。また、治療器具を当接する患部に予め０．９％の生理食塩水等の電解質溶液を塗布することによって治療効果を高めることができる。
【００１８】
異種金属部１１を導体部に取付ける手段は、別段制限されるものではないが、微弱電流の導電性を高めることを考慮して両者間に接着剤等の不導体を介在せずに例えば、焼嵌法のように両者を直接接合する方法が好ましい。
【００１９】
図２に示す実施の形態２において、本体１は、把手部１０が合成樹脂からなり、その一端が導電性金属からなる導体部であって、二股のフォーク状をなし、分岐起点の中間に水晶又はトルマリンからなる結晶体１２が設けられているものの例であり、各構成についての説明は、前述の実施の形態１の場合と同様である。
【００２０】
図３に示す実施の形態３（参考例）において、本体１は、把手部１０が合成樹脂からなり、その両端が導電性金属からなる導体部であって、その一端が鋭角状をなし、他端が二股状をなし、二股状導体部の表面近傍に結晶体１２が設けられている。そして、把手部１０には吊下具１３が取付けられている。
【００２１】
図４に示す実施の形態４（参考例）において、本体１は一様な導電性金属からなり、本体の一端に形成された矢じり状の導体部には結晶体１２が先端部に向けて漸次細く形成されている。他は実施の形態１と同様である。
【００２２】
図５に示す実施の形態５において、本体１は一様な導電性金属からなり、把手部の少なくとも一方の端部を起点として二股状に分岐した導体部を有し、該二股状の分岐の起点中央部に結晶体１２を先端が導体部の先端と略同程度の高さ乃至やや低い状態で固定具にて圧着固定した以外は実施の形態２と同様である。
【００２３】
図６に示す実施の形態６において、本体１は一様な導電性金属からなり、把手部の少なくとも一方の端部を起点として四本に分岐した導体部を有し、該分岐の起点中央部に結晶体１２を先端が導体部の先端と略同程度の高さ乃至やや低い状態で固定具にて圧着固定した以外は実施の形態５と同様である。
【００２４】
図７に示す実施の形態７において、本体１の一端に形成された矢じり状の導体部と他の一端に形成された両導体部１１ａ及び１１ｂとが導電性金属からなる芯材で連係され、該芯材の表面を合成樹脂で被覆して把手部を形成するとともに二股状の分岐の起点中央部に結晶体１２を先端が導体部の先端と略同程度の高さ乃至やや低い状態で固定具にて圧着固定した以外は実施の形態３と同様である。合成樹脂に関する説明は実施の形態１の説明と同様である。
【００２５】
図８に示す実施の形態８（参考例）において、本体導体部乃至異種金属が連続した離型層の上に前記のように形成されているので、使用する際に離型層から本治療器具を適宜取外して、患者の患部に異種金属部を当接して貼り付けて使用することができる。必要に応じて、本体の上から押圧することによって、より治療効果を高めることができる。
【００２６】
【実施例】
以下に代表的な実施例を挙げるが、本発明はこれら実施例に限定されるものではない。
【００２７】
実施例１
実施の形態２において、導体部１３が金７５重量％、銀１５重量％及び銅１０重量％の所謂１８カラットの合金からなり、把手部１０はＡＢＳ樹脂１００重量部に対し導電性炭素繊維３０重量部及び着色剤１重量部を混合した組成物からなり、前記鋭角状の導体部１３の先端に銅１００重量％、アルミニウム１００重量％からなる金属片をそれぞれ、その一部を焼嵌法で埋設して異種金属部１１を形成して治療器具を得た。
【００２８】
実施例２
実施の形態４において、本体１が一様な純金からなり、該本体の一端に有する矢じり状導体部１４の先端にアルミニウム片をその一部を導体部１４に埋め込んだ状態で固着し、前記アルミニウムの異種金属部１１の近傍にトルマリンの結晶体１２を焼嵌法で圧着固定して治療器具Ａを得た。次いで、前記異種金属部１１にアルミニウム片の代わりに銅片を圧着固定した以外は治療器具Ａと同様の治療器具Ｂを得た。
【００２９】
実施例３
実施の形態５において、本体１が一様な純金からなり、把手部１０の一端の二股の一端には白金１００重量％からなる金属片を、他の一端にはアルミニウム１００重量％からなる金属片を焼嵌法でそれぞれ一部を埋め込んで、それぞれ異種金属部１１ａ、１１ｂを設け、分岐の起点近傍にはトルマリンの結晶体１２を焼嵌法で圧着固定して治療器具を得た。
【００３０】
実施例４
実施の形態６において、本体１が一様な純金からなり、把手部１０の一端を起点とする４本の分岐のそれぞれにアルミニウム１００重量％からなる金属片と白金１００重量％からなる金属片を交互に焼嵌法でそれぞれ一部を埋め込んで、それぞれ異種金属部を形成し、分岐の起点近傍には水晶の結晶体１２を焼嵌法で圧着固定して治療器具を得た。
【００３１】
代表的使用例
実施例１乃至４で得た治療器具の異種金属部１１を患者の患部乃至ツボに当接して軽く２〜３秒間押圧した後、しばし治療器具１を人体から離し、直に再び前と同様の動作を１０〜１５分間繰り返す。異種金属部を当接して押圧する際、結晶体１２が所望の位置に取付けられた治療器具の場合には、該結晶体の先端が患者の皮膚に軽く接触する程度に押圧する方が効果が増大し好ましい。また、治療器具を当接する患者の皮膚に０．９％の生理食塩水等の電解質溶液を塗ることによって、金属のイオン化を促進し、治療効果を高める。
【００３２】
代表的臨床例
発明者は、この発明に係る治療器具を使用して、これまでに試験的に特定の患者に対し、患者の了解のもとで、処置を試み、今までに数十例に及ぶ患者の疾患を治癒した実績がある。以下、これまでに治療した実例の中から代表的なものを記載する。
【００３３】
１．筋膜裂傷の治療例
３１歳の男性水泳選手で、競泳中に広背筋を痛め、日常生活に支障を来す状態であったが、前記実施例３及び４記載のこの発明に係る治療器具を左右の手にそれぞれ把持し背部全体に渡って当接し、軽く押圧して施術を試みたところ、初回の試みで痛みが約８０％軽減し、驚くべきことに２回目の処置で完全に症状が消失した。
【００３４】
２．強度の冷え症の治療例
２８歳の女性で日頃強度の冷え症に悩まされ隔週毎に投薬等治療を受けていたが回復せず、前記実施例４の治療器具を両足に当接して治療をしたところ、５乃至１０分後には、両足とも６．４°Ｃの温度上昇がサーモグラムで確認され、その後引き続き週１回全身に治療を施したところ、血液循環動態が改善され、症状が目に見えて軽減した。
【００３５】
３．腰椎椎間板ヘルニアの治療例
５０歳の女性で半年前より腰部から左下肢への痛みとしびれが発症し、検査でＬ４−５のヘルニアと診断され消炎鎮痛薬を服用していたが、前記実施例３の治療器具を左右の手にそれぞれ把持し、患部に当接し治療を行ったところ、１回の治療で痛みが半減し、７回の治療で消失した。３カ月経過した現在でも再発は見られない。
【００３６】
４．手根管症候群の治療例
３４歳の女性でテニスの後に、手掌部と指尖部の痛みとしびれの症状が発生、激痛のため指の屈曲、伸展が困難であったが、前記実施例２の治療器具Ａ及びＢを左右の手にそれぞれ把持し、右の前腕内側部と手根関節と手掌部にそれぞれ交互に当接し前記治療を施したところ、痛みが約６０％方消失し、３回目の治療の後で指の屈曲、伸展が何ら苦痛無くできるようになった。
【００３７】
５．打撲症の治療例
右手首を打撲した男性野球選手（外野手）の場合。実施例１の治療器具を使用して、１日目の前記処置後、処置を施した手首が暖かくなり、それまで、動かせなかった手首を自分で動かせるようになり、且つ、痛みが軽減した。更に、同様の処置を毎日行い３日目には痛みが完全に消失し、驚くべきことには、４日目には、ボールを投げ、バットを振れる迄に回復した。
【００３８】
６．長期間の頭痛の治療例
数年間頭痛で悩まされ、薬を服用し続けた女性の場合。実施例２の治療器具Ａ及び治療器具Ｂをそれぞれ左右の手で把持し、患者の頸部から頭部にかけて当接し軽く押圧して、前記と同様に処置を繰り返し行ったところ、１日目で痛みが軽減し、３日目には頭痛が消失した。以前使用していた薬の服用を止めたが頭痛は再発していない。
【００３９】
７．喘息の治療例
男性喘息患者の場合。実施例３及び実施例４の治療器具をそれぞれ左右の手で把持し、患者の左右の胸部に当接して押圧し、前記と同様に処置したところ、初回は喘息の発作が軽減し、３日目には発作が止まった。以後、週１回の割合で１カ月間処置を継続し再発していない。
【００４０】
実験例
発明者は、専門家の協力を得て、前記発明に係る治療器具を使用中に患者の脳波、脈拍、心拍数、血中酸素飽和度（ＳｐＯ２）及び体温の上昇を医用サーモグラフィ装置で測定したところ、単なる木製の棒で患部を押圧した場合には見られなかったものが、発明に係る治療器具を使用直後に顕著なα波乃至β波の発生と、脈拍、心拍数の上昇、使用開始約５乃至１０分後に患部の温度上昇を確認した。脳波は図９に、心拍数は図１０に、脈拍、血中酸素飽和度（ＳｐＯ２）は表１乃至表５に、サーモグラフィの結果は参考写真にそれぞれ示す。
【００４１】
【表１】
0003980140.tif 000002
【００４２】
【表２】
0003980140.tif 000003
【００４３】
【表３】
0003980140.tif 000004
【００４４】
【表４】
0003980140.tif 000005
【００４５】
【表５】
0003980140.tif 000006
【００４６】
次に、前記データについて説明する。
図９は、前記臨床例２の治療中に測定した脳波の１例である。同図において測定を開始して約３秒後にα波（周波数帯８乃至１３ヘルツの脳波）の発生が確認できた。この結果によれば、脳生理学的見地から、本発明に関する治療器具による人体の神経への電気的刺激によって大脳皮質の働きが変化したものであると推定される。この結果、シナプスの電気活動や神経伝達物質の分泌を正常化して自然治癒力を増強することにより治療効果を高めたものと推定される。
【００４７】
図１０は足首を捻挫した野球選手の治療中に測定した心拍数であり、表１は同じく脈拍、血中酸素飽和度（ＳｐＯ２）を示す。同実験は日本光電工業（株）製ＢＳＭ−７１０５によって測定したものである。同図により、治療を開始して約２分１５秒後に心拍数が約５０％乃至１００％上昇したことが確認された。同表からは脈拍（ＰＵＬＳＥ）が治療開始から約２分１６秒乃至２分２０秒の間に約３０％乃至７０％上昇したことが確認された。
【００４８】
表２は腰痛に悩まされている５０歳代の女性を治療中に測定した脈拍、血中酸素飽和度（ＳｐＯ２）を示す。測定には前記と同様の装置を使用した。同図から、脈拍（ＰＵＬＳＥ）が治療開始から約３分５秒乃至３分６秒の間に約６０％上昇したことが確認された。
【００４９】
サーモグラム（体表温図）に関する詳細な説明は参考写真説明書において述べるが、測定例において、足首、手、背中、腰の各部について合計６件の測定結果では、治療開始から約５乃至１０分後に約３．２乃至６．４°Ｃの温度上昇が見られた。これらの結果の中には、使用前は血流不全を示していたものが本治療器具の使用によって血流が増加し血流が不良であったところが改善していることが分かる。後述のように、この血流の改善に伴って、痛みが軽減するものと言われている。次に、比較例として単なる木製の棒で押圧した場合には、温度上昇は無く、逆に使用開始約５乃至１０分後に温度低下の現象が見られた。
【００５０】
鎮痛のメカニズムは複雑であるが、血流の改善が深く関係している場合が少なくないし、また、血流改善は創傷治療を促進する大きな原動力になると言われている（講談社発行「レーザー医学の驚異」第１７６頁）。また、東洋医学では治療効果を判定するために類似の方法で人体局部の温度上昇を測定する場合があるが、本治療器具の使用開始後約５乃至１０分という短時間で前述の如く約３．２乃至６．４°Ｃも温度上昇する現象は希有なことであり、全く驚異的と言わざるを得ない。
【００５１】
【発明の効果】
本発明に係る治療器具は、前記のような構造からなり、係る治療器具を患者の患部に当接し、軽く押圧するだけで、自然治癒力を増強させ、筋肉痛、神経痛、頭痛、腰痛、五十肩等の苦痛が即効的に軽減乃至消失し、喘息等のアレルギー疾患、手術後の機能回復等、種々の疾患を治療する効果を奏する。特に、水晶又はトルマリンの結晶体が患者の患部に接する構造のものは治療器具が患部に接触すると同時的に患者の人体に変化を生じ即効的な治療効果を奏する。
【００５２】
しかも、人体に対し針やメスを一切加えることがないので、エイズ感染に対しても安全であり、患者に安心感を与えて積極的な治療を促す効果を奏する。また、把手部に合成樹脂を使用することにより意匠効果と経済性を高め、吊下具を取付けたものにあっては、常に携帯して、いつでも容易に使用できるので便利である。裏面に粘着剤層を設けたものは、治療効果を持続させるために有効である。更に、電気式治療具のように外部からの電気を使用せず、従って、電気設備の調っていない屋外や電圧が我が国と異なる外国においても、また、緊急時にも、即座に使用でき、メンテナンスの手間も要しない。
【図面の簡単な説明】
【図１】  （ａ）は実施の形態１の治療器具の平面図、（ｂ）は実施の形態１の治療器具の正面図、（ｃ）は実施の形態１の治療器具の側面図、（ｄ）実施の形態１の治療器具の底面図、（ｅ）は（ｃ）図のＡ−Ａ線断面図である。
【図２】  （ａ）は実施の形態２の治療器具の平面図、（ｂ）は実施の形態２の治療器具の正面図、（ｃ）は実施の形態２の治療器具の側面図、（ｄ）実施の形態２の治療器具の底面図、（ｅ）は（ｃ）図のＢ−Ｂ線断面図である。
【図３】  （ａ）は実施の形態３の治療器具の平面図、（ｂ）は実施の形態３の治療器具の正面図、（ｃ）は実施の形態３の治療器具の側面図、（ｄ）実施の形態３の治療器具の底面図、（ｅ）は（ｃ）図のＣ−Ｃ線断面図である。
【図４】  （ａ）は実施の形態４の治療器具の平面図、（ｂ）は実施の形態４の治療器具の正面図、（ｃ）は実施の形態４の治療器具の側面図、（ｄ）実施の形態４の治療器具の底面図、（ｅ）は（ｃ）図のＤ−Ｄ線断面図である。
【図５】  （ａ）は実施の形態５の治療器具の平面図、（ｂ）は実施の形態５の治療器具の正面図、（ｃ）は実施の形態５の治療器具の側面図、（ｄ）実施の形態５の治療器具の底面図、（ｅ）は（ｃ）図のＥ−Ｅ線断面図である。
【図６】  （ａ）は実施の形態６の治療器具の平面図、（ｂ）は実施の形態６の治療器具の正面図、（ｃ）は実施の形態６の治療器具の側面図、（ｄ）実施の形態６の治療器具の底面図、（ｅ）は（ｃ）図のＦ−Ｆ線断面図である。
【図７】  （ａ）は実施の形態７の治療器具の平面図、（ｂ）は実施の形態７の治療器具の正面図、（ｃ）は実施の形態７の治療器具の側面図、（ｄ）実施の形態７の治療器具の底面図、（ｅ）は（ｃ）図のＧ−Ｇ線断面図である。
【図８】  （ａ）は実施の形態８の治療器具の平面図、（ｂ）は実施の形態８の治療器具の断面図、（ｃ）は実施の形態８の治療器具の底面図である。
【図９】  臨床例２の治療中に測定した脳波の１例である。
【図１０】  心拍数を示すグラフである。
【符号の説明】
１：本体、１０：把手部、１１：異種金属部、１２：結晶体、１３：吊下具、１４：導体部、１５：芯材、１６：樹脂部、１７：固定部、１８：粘着剤層、１９：離型層
【図１】
0003980140.tif 000007
【図２】
0003980140.tif 000008
【図３】
0003980140.tif 000009
【図４】
0003980140.tif 000010
【図５】
0003980140.tif 000011
【図６】
0003980140.tif 000012
【図７】
0003980140.tif 000013
【図８】
0003980140.tif 000014
【図９】
0003980140.tif 000015
【図１０】
0003980140.tif 000016